(57)【要約】【課題】２台の機器をポールへ背中合わせに固定する作業を簡素化する固定金具を提供する。【解決手段】本発明の固定金具１は、ポールの外周を囲む部分であるＵ字部と、前記Ｕ字部の端部がそれぞれ外側へ折り曲げられた平面部が２ヶ所と、前記Ｕ字部の湾曲部に前記平面部とそれぞれ平行に位置する別の平面部が２ヶ所とで、形成され、前記４ヶ所の平面部には、それぞれネジ山を切ったネジ穴４、５を設けている。正面用取付板１１とポール２０を挟んでネジを正面用取付板１１の穴１３に挿入し、ネジ穴４にネジを締め込み正面用取付板１１をポール２０に固定し、背面用取付板１２の穴にネジを挿入し、ネジ穴５にネジを締め込み、背面用取付板１２をポール２０に固定することで、ポールに背中合わせの状態で機器を取り付けられることを特徴とする固定金具である。【選択図】図２
2018003915.tif 000002
【特許請求の範囲】
【請求項１】
機器を固定するための取付板とポールを、固定するための固定金具であって、ポールの外周を囲む部分と、前記ポールの外周を囲む部分の端部がそれぞれ折り曲げられた平面部が２ヶ所と、前記ポールの外周を囲む部分の途中に前記平面部とそれぞれ平行に位置する別の平面部が２ヶ所とで、形成され、前記４ヶ所の平面部には、それぞれ穴を設け、前記取付板をポールを挟んで固定し、機器を背中合わせに取り付けることができる固定金具。
【請求項２】
前記固定金具の穴は、それぞれにネジ山を設けた請求項１に記載の固定金具。
【発明の詳細な説明】
【技術分野】
【０００１】
本発明は投光器と受光器とで構成される光線式センサーなどの機器をポールに固定するための固定金具に関するものであり、特にひとつのポールに２台の機器を背中合わせの状態で固定するための固定金具に関するものである。
【背景技術】
【０００２】
光を発する投光器と光を受ける受光器とを対向させ、この光が物体により遮断されたことを検出する光線式センサーなどの機器は、機器本体と取付板で構成されており、ポールに機器を固定する場合、取付板と固定金具でポールを挟んでネジにより固定した後、取付板に機器本体を固定するのが、一般的である。このような機器は、複数の機器を同一場所に設置することがあり、ひとつのポールに２台の機器を背中合わせの状態で取り付けることがある。
【０００３】
従来、図４のように穴５３、５４のような形の穴を開けた正面用取付板５１、背面用取付板５２を用いて、正面用固定金具５５、背面用固定金具５６とネジによりポール５７に背中合わせの状態で取り付けている。（例えば特許文献１参照）  
【先行技術文献】
【特許文献】
【０００４】
【特許文献１】実用新案公報平５−１６５４３号
【発明の概要】
【発明が解決しようとする課題】
【０００５】
しかしながら、背中合わせでのポールへの取り付けは、正面用取付板５１を固定するための正面用固定金具５５と、背面用取付板５２を固定するための背面用固定金具５６を互い違いに組み付けることで行ってきたが、それぞれの取付板を固定する前に正面用固定金具５５と背面用固定金具５６の両方を配置しておく必要があり、作業が煩雑であった。
【０００６】
また、ポールに正面用機器を固定した後、追加で背面用取付板５２を背中合わせで取り付ける場合に、背面用固定金具５６を配置しようとしても、正面用取付板５１とポール５７の間隔が狭いため、入れることができず配置できなかった。
【０００７】
そのため、正面用取付板５１を一旦取り外し、背面用固定金具５６を再度セットしてからポール５７に取り付ける必要があり、二度手間になることがあった。また、取り付けた後に調整済みであった正面用機器の角度を再調整する必要もあった。
【課題を解決するための手段】
【０００８】
本発明では、機器を固定するための取付板とポールを、固定するための固定金具として、ポールの外周を囲む部分と、前記ポールの外周を囲む部分の端部がそれぞれ折り曲げられた平面部が２ヶ所と、前記ポールの外周を囲む部分の途中に前記平面部とそれぞれ平行に位置する別の平面部が２ヶ所とで、形成され、前記４ヶ所の平面部には、それぞれ穴を設け、前記取付板をポールを挟んで固定し、機器を背中合わせに取り付けることができる固定金具を使用する。
【発明の効果】
【０００９】
本発明によれば、固定金具を正面取付用と背面取付用のそれぞれで準備する必要が無く、１つの固定金具を正面用取付板と背面用取付板の固定に兼用して使用できるので、２つ必要であった部品個数が１つとなり、部品個数を減らせる。また、取り付け時に正面の機器と背面の機器を容易に同一の設置高さに設置することができる。さらに、既に取り付け済みの機器に追加で背中合わせでの設置を行う時に、機器を一旦取り外すことなく、背面用取付板をポールに固定でき、取り付け済みの機器を再度角度調整する必要が無くなる。
【図面の簡単な説明】
【００１０】
【図１】本発明の固定金具の実施形態を示した図である。
【図２】本発明の固定金具を用いた取付板の固定方法を示した図である。
【図３】本発明の固定金具を用いてポールに機器を背中合わせで固定した状態の側面図である。
【図４】従来の取付構造を示した図である。
【発明を実施するための最良の形態】
【００１１】
図１は、本発明の固定金具の実施形態を示した図であり、図１（Ａ）は、本発明の固定金具の斜視図であり、図１（Ｂ）は、本発明の固定金具の平面図である。固定金具１は、ポールの外周を囲む部分であるＵ字部と、前記Ｕ字部の端部がそれぞれ外側へ折り曲げられた平面部２と、前記Ｕ字部の湾曲部に前記平面部２とそれぞれ平行に位置する平面部３とで、形成され、前記平面部２と平面部３には、それぞれネジ山を切ったネジ穴４、５を設けている。
【００１２】
図２は、本発明の固定金具１を用いて、ポール２０に、正面用取付板１１と背面用取付板１２を固定する方法を示している。正面用取付板１１と背面用取付板１２には、それぞれ穴１３、１４が設けられている。固定金具１と正面用取付板１１はポール２０を挟むように配置し、ネジ１５を正面用取付板１１の穴１３に挿入し、ネジ穴４に締め込み固定する。このようにして、正面用取付板１１をポール２０に固定することができる。
【００１３】
その後、ネジ１６を背面用取付板１２の穴１４に挿入し、ネジ穴５に締め込み固定する。このようにして、背面用取付板１２をポール２０に固定することができ、ポール２０に正面用取付板１１と背面用取付板１２の両方を固定することができる。
【００１４】
図３は、本発明の固定金具を用いてポールに機器を背中合わせで固定した状態の側面図である。正面用取付板１１と背面用取付板１２に、それぞれ機器本体２１と機器本体２２を取り付けることにより、２台の機器をポール２０に背中合わせの状態で取り付けることができる。
【００１５】
以上、本発明の実施形態を説明したが、上述の実施形態は例として提示したものである。例えば、上述の実施例ではポールの外周を囲む部分をＵ字型としたが、コの字型などにしてもよく、形状は限定しない。また、固定金具の穴にネジ山を切らず、ネジの代わりにボルトとナットで取付板を固定してもよい。発明の範囲は、これらに限定するものではなく、その他の様々な形態で実施されることが可能であり、特許請求の範囲に記載された発明の範囲とその均等の範囲に含まれるものである。
【符号の説明】
【００１６】
１・・・固定金具
２、３・・・平面部
４、５・・・ネジ穴
１１・・・正面用取付板
１２・・・背面用取付板
１３、１４・・・穴
１５、１６・・・ネジ
２０・・・ポール
２１，２２・・・機器本体
５１・・・正面用取付板
５２・・・背面用取付板
５３、５４・・・穴
５５・・・正面用固定金具
５６・・・背面用固定金具
５７・・・ポール
【図１】
2018003915.tif 000003
【図２】
2018003915.tif 000004
【図３】
2018003915.tif 000005
【図４】
2018003915.tif 000006